(57)【要約】  本発明は、ストリーミングサービス基盤のコンテンツに対するＤＲＭ方法およびこの方法を実行するシステムに関する。本発明に係るＤＲＭ方法は、コンテンツに関するコンテンツ情報を生成および保持するステップと、コンテンツを掲載したサービスページから再生情報を受信する場合、コンテンツ情報の再生回数を更新するステップとを含み、コンテンツとコピーされた同一コンテンツは、異なる識別子を用いて分類される。
2010516009.tif 000002
【特許請求の範囲】
【請求項１】
ＤＲＭ方法であって、
コンテンツに関するコンテンツ情報を生成および保持するステップと、
前記コンテンツを掲載したサービスページから再生情報を受信した場合、前記コンテンツ情報の再生回数を更新するステップと、
を含み、
前記コンテンツとコピーされた同一コンテンツは、異なる識別子を用いて分類されるＤＲＭ方法。
【請求項２】
前記コンテンツ情報は、前記コンテンツに関連する前記異なる識別子毎に再生回数、コピー回数、親識別子、およびサービスページのＵＲＬを含み、
生成および保持する前記ステップは、前記コンテンツと関連した前記異なる識別子毎に前記再生回数、前記コピー回数、前記親識別子、および前記サービスページのＵＲＬを記録するためのフィールドを生成および保持する請求項１に記載のＤＲＭ方法。
【請求項３】
前記サービスページから前記コピー情報を受信する場合、前記コピー情報に含まれた識別子を用いて新たな識別子を生成するステップと、
前記新たな識別子を前記サービスページに送信するステップと、
をさらに含み、
前記サービスページは、前記コンテンツに対するコピー要求に対して応答し、前記新たな識別子を含むコピーコンテンツを掲載する請求項１に記載のＤＲＭ方法。
【請求項４】
前記識別子に対応する前記コンテンツ情報のコピー回数を更新するステップと、
前記新たな識別子に対応する情報を前記コンテンツ情報に追加するステップと、
をさらに含み、
前記新たな識別子に対応する情報は、親識別子である前記識別子および前記コンテンツのコピーを要求する他のサービスページのＵＲＬを含む請求項３に記載のＤＲＭ方法。
【請求項５】
前記コンテンツ情報を用いて広告コンテンツに関連する広告費を算出するステップ、をさらに含み、
前記コンテンツは、前記広告コンテンツを含む請求項１に記載のＤＲＭ方法。
【請求項６】
前記広告費を算出するステップは、
異なる識別子毎に前記コンテンツ情報の前記再生回数を確認するステップと、
前記再生回数、前記異なる識別子、および前記異なる識別子毎の親識別子を用いて前記広告コンテンツの前記広告費を算出するステップと、
を含む請求項５に記載のＤＲＭ方法。
【請求項７】
前記広告費を算出するステップは、
前記広告コンテンツの前記異なる識別子毎に前記親識別子に応じて決定される配布等級を確認するステップと、
前記配布等級に応じて前記異なる識別子毎に分類された前記再生回数にそれぞれ加重値を付与するステップと、
前記再生回数の合計により前記広告コンテンツの前記広告費を算出するステップと、
を含む請求項６に記載のＤＲＭ方法。
【請求項８】
前記広告費は、前記サービスページ毎の前記再生回数の合計再生回数に対する比率に基づいて計算された加重値に基づいて分配され、
前記合計再生回数は、任意の識別子を含むコンテンツの第１再生回数および前記コンテンツからコピーされた他のコンテンツに対する第２再生回数を含む請求項６に記載のＤＲＭ方法。
【請求項９】
前記広告費を算出するステップは、
前記サービスページのＵＲＬを確認するステップと、
前記ＵＲＬおよび前記分配された広告費を用いて前記サービスページと関連したサイト毎に前記広告費を分配するステップと、
をさらに含む請求項８に記載のＤＲＭ方法。
【請求項１０】
前記異なる識別子は、生成された順序を比較するための順序情報を含む請求項１に記載のＤＲＭ方法。
【請求項１１】
前記コンテンツは、ストリーミングサービスを用いて提供されるデータコンテンツであり、
前記識別子は、前記データコンテンツのスクリプトに含まれる請求項１に記載のＤＲＭ方法。
【請求項１２】
請求項１乃至１１のうちのいずれか一項の方法を実行させるためのプログラムを記録したコンピュータ読み取り可能な記録媒体。
【請求項１３】
コンテンツを管理するＤＲＭシステムであって、
コンテンツに関するコンテンツ情報を生成および保持するように構成されたコンテンツ情報管理部と、
前記コンテンツを掲載したサービスページから再生情報を受信するように構成された情報受信部と、
前記再生情報を受信する場合、前記コンテンツ情報の再生回数を更新するように構成された再生回数更新部と、
を備え、
前記コンテンツとコピーされた同一コンテンツは、異なる識別子を用いて分類されるＤＲＭシステム。
【請求項１４】
前記コンテンツ情報は、前記コンテンツに関連する前記異なる識別子毎に再生回数、コピー回数、親識別子、および前記サービスページのＵＲＬを含み、
前記コンテンツ情報管理部は、
前記コンテンツと関連した前記異なる識別子毎に前記再生回数、前記コピー回数、前記親識別子、および前記サービスページのＵＲＬを記録するためのフィールドを生成および保持する請求項１３に記載のＤＲＭシステム。
【請求項１５】
前記情報受信部は、前記サービスページからコピー情報をさらに受信し、
前記コピー情報を受信する場合、前記コピー情報に含まれた識別子を用いて新たな識別子を生成するように構成された識別子生成部と、
前記新たな識別子を前記サービスページに送信するように構成された識別子送信部と、
をさらに備える請求項１３に記載のＤＲＭシステム。
【請求項１６】
前記識別子に対応する前記コンテンツ情報のコピー回数を更新するように構成されたコピー回数更新部と、
前記新たな識別子に対応する情報を前記コンテンツ情報に追加するように構成された情報追加部と、
をさらに備え、
前記新たな識別子に対応する情報は、前記親識別子である前記識別子および前記コンテンツに対するコピーを要求した他のサービスページのＵＲＬを含む請求項１５に記載のＤＲＭシステム。
【請求項１７】
前記コンテンツ情報を用いて広告コンテンツに関連する広告費を算出するように構成された広告費算出部をさらに備え、
前記コンテンツは、前記広告コンテンツを含む請求項１３に記載のＤＲＭシステム。
【請求項１８】
前記広告費算出部は、
前記異なる識別子毎に前記コンテンツ情報の前記再生回数を確認するように構成された再生回数確認部と、
前記再生回数、前記異なる識別子、および前記異なる識別子毎の前記親識別子を用いて前記広告コンテンツの前記広告費を算出するように構成された広告費算出部と、
を備える請求項１７に記載のＤＲＭシステム。
【発明の詳細な説明】
【技術分野】
【０００１】
本発明は、ストリーミングサービス基盤のコンテンツに対するＤＲＭ（Ｄｉｇｉｔａｌ  Ｒｉｇｈｔｓ  Ｍａｎａｇｅｍｅｎｔ）方法およびこの方法を実行するシステムに関し、より詳細には、広告のためにストリーミングサービス形態で提供されるコンテンツに対するコンテンツ情報を維持および更新してコンテンツがどのような形態で用いられるかを知ることができ、コンテンツ情報を介してコンテンツの広告効果および広告費を算出することができる方法およびシステムに関する。
【背景技術】
【０００２】
バナー広告は、ウェプページの一定部分に広報しようとする内容をグラフィックイメージの形態で貼り付けた広告の形態を意味する。あたかも垂れ幕のような形のバナー（ｂａｎｎｅｒ）という名称で呼ばれ、予め定められた規格に動画ファイルなどを用いて広告を出し、所定の広告料を支払う形態である。広告効果を分析するために、バナー広告がユーザに示された回数や一定期間内にバナー広告のグラフィックがダウンロードされた回数を計算して広告主に知らせたりもする。
【０００３】
当初、バナー広告は、四角形状に事業内容を知らせるという単純な形態で開始されたが、最近では動画が挿入されたり、ウェブページやホームページを開くと、画面に固定的に配置されるなど、多様な技術が使用されている。
【０００４】
このようなバナー広告は、一般的にＣＰＭ（ｃｏｓｔ  ｐｅｒ  ｍｉｌｌ）の形態で課金される。ＣＰＭとは、インターネットユーザがバナー広告を１，０００回閲覧することで広告主に課金される広告費である。ＣＰＭが１００ウォンであれば、あるインターネットユーザの画面において１，０００回広告内容を露出させるのに広告主に掛かる広告費は１００ウォンである。Ｍｉｌｌは、ローマ数字で１，０００を表す。
【０００５】
このようなバナー広告とは異なり、バイラル広告マーケティング（ｖｉｒａｌ  ａｄｖｅｒｔｉｓｅｍｅｎｔ  ｍａｒｋｅｔｉｎｇ）、またはウイルス広告マーケティング（ｖｉｒｕｓ  ａｄｖｅｒｔｉｓｅｍｅｎｔ  ｍａｒｋｅｔｉｎｇ）は、インターネットユーザが電子メールや他のインターネット通信チャンネルや媒体を用いて、ある企業や製品に関する特定のマルチメディア・コンテンツを伝播させることにより、企業や製品を宣伝できるようにしたマーケティング技術に関する。ウイルス広告マーケティングは、コンピュータウイルスのように拡散することから名付けられたマーケティング技術である。また、バイラル広告マーケティングは、２０００年末から新たなインターネット広告技術として注目を受け始めたが、企業が直接広報をせずに消費者によって宣伝される広告であるという点において、既存の広告方法とは異なる。
【０００６】
企業は、一般に流行や風潮などの現実の流れに伴いながらインターネットユーザを満足させる面白くて新鮮なコンテンツを製作し、インターネットウェブサイトなどに無料で掲載している。企業は、企業の名前や製品に関する内容を含む上記のような広告を繰り返しながら、企業名や製品を間接的に広告している。
【０００７】
インターネットユーザは、コンテンツが面白ければ、一般的に電子メールや他の媒体を介して他のインターネットユーザにコンテンツを伝達する。このような過程を繰り返すことでマーケティングが効果的になされる。このようなバイラル広告マーケティングは、ウェブアニメーション技術に基づいてなされ、ファイルサイズが比較的小さいためリアルタイムで再生が可能であり、そのコンテンツが簡単な方法で作製可能であることから、広報費用が低廉である。
【０００８】
図１は、バイラル広告マーケティングの一例を説明するための図である。バイラル広告マーケティングでは、広告主または代行者が実行するバイラル広告マーケティングは、コンテンツ１０１をインターネットサイトなどに掲載する。この場合、コンテンツ１０１は、コンテンツ１０１にアクセスするユーザによってコピーまたはダウンロードされて同一サイトまたは他のサイトに掲載されるようになる。
【０００９】
このように同一サイトまたは他のサイトに掲載された複数のコンテンツ１０２は、他のユーザによってもコピーまたはダウンロードされるようになり、このような動作又はステップを介して多くのユーザに配信される。また、コンテンツ１０１に含まれた企業の名前や製品は、多くのユーザに伝達されて宣伝されるようになる。
【００１０】
しかし、バイラル広告マーケティングでは、代行者がコンテンツを作製し、コンテンツのマーケティングを実行する場合、どのくらいの量のコンテンツが配布されて宣伝されたかを確認することは困難である。また、バナー広告と異なるコンテンツに関する課金を算出するために基準を作成することは困難である。
【００１１】
さらに、このようなコンテンツは、ストリーミングサービスを用いて提供されてもよい。ストリーミングサービスは、インターネット上で音声や映像、アニメーションなどをリアルタイムで再生する。今までは、ファイルを再生するためにファイルをハードディスクにダウンロードする必要があったため、ユーザは、ダウンロードが完了するまで待たなければならず、ハードディスクの充分な容量を確保しなければならなかった。しかしながら、ストリーミング方法では、フロー・データを受信端で再生するため、ユーザは待つ必要がなく、ハードディスクの容量に制約されない。
【００１２】
しかしながら、このようなバイラル広告マーケティングに関するコンテンツ、特にストリーミングサービスが用いられて提供されるコンテンツは、確認する方法が困難である。また、代行者がコンテンツおよびコンテンツのマーケティングを製作する場合、どれだけの量のコンテンツが配布されて宣伝されたかを確認することは困難である。また、バナー広告と異なるコンテンツに関する課金を算出するための基準を作製することは困難である。
【発明の概要】
【発明が解決しようとする課題】
【００１３】
本発明の一実施形態は、ストリーミングサービス基盤のコンテンツに対するＤＲＭ方法およびこの方法を実行するシステムに関する。
【００１４】
また、本発明の他の実施形態は、ストリーミングサービスを用いて提供されるコンテンツのコピーされたコンテンツ毎に異なる識別子を提供でき、異なる識別子毎にコンテンツの再生回数、コピー回数、コンテンツが掲載されるサービスページのＵＲＬ（Ｕｎｉｖｅｒｓａｌ  Ｒｅｓｏｕｒｃｅ  Ｌｏｃａｔｏｒ）などを維持および更新することにより、コンテンツがどのように用いられたかに対するコンテンツ情報を得ることができる方法及びシステムを提供する。
【００１５】
また、本発明の他の実施形態は、コンテンツ情報を用いて異なる識別子毎にコンテンツの再生回数を確認することにより、コンテンツの広告費を算出することができる方法及びシステムを提供する。
【００１６】
また、本発明の他の実施形態は、再生回数および異なる識別子を用いてサービスページ毎に広告費を分配し、ＵＲＬを用いて特定サイト毎にコンテンツに関する広告効果および広告費を算出することができる方法及びシステムを提供する。
【課題を解決するための手段】
【００１７】
本発明の一実施形態に係るＤＲＭ方法は、コンテンツに対するコンテンツ情報を生成および保持するステップと、前記コンテンツを掲載したサービスページから再生情報を受信する場合、前記コンテンツ情報の再生回数を更新するステップとを含み、前記コンテンツとコピーされた同一コンテンツは異なる識別子を用いて分類される。
【００１８】
本発明の一実施形態では、前記コンテンツ情報は、前記コンテンツに関する前記異なる識別子毎に再生回数、コピー回数、親識別子、またはサービスページのＵＲＬが含まれてもよい。また、生成および保持する前記ステップは、前記コンテンツと関連した前記異なる識別子毎に前記再生回数、前記コピー回数、前記親識別子、または前記サービスページのＵＲＬを記録するためのフィールドを生成および保持してもよい。
【００１９】
また、前記ＤＲＭ方法は、前記サービスページから前記コピー情報を受信し、前記新たな識別子を前記サービスページに送信するステップをさらに含めてもよく、前記サービスページは、前記コンテンツに対するコピー要求に対する応答し、前記新しい識別子を含むコピーされたコンテンツを表示してもよい。
【００２０】
また、前記ＤＲＭ方法は、前記コンテンツ情報を用いて前記広告コンテンツに関連する広告費を算出するステップをさらに含めてもよく、前記コンテンツは前記広告コンテンツを含めてもよい。また、前記算出ステップは、前記異なる識別子毎に前記コンテンツ情報の前記再生回数を確認し、前記再生回数、前記異なる識別子、および前記異なる識別子毎の親識別子を用いて前記広告コンテンツの前記広告費を算出するステップを、さらに含めてもよい。
【００２１】
本発明の他の実施形態によれば、コンテンツを管理するＤＲＭシステムは、コンテンツに関するコンテンツ情報を生成および保持するように構成されたコンテンツ情報管理部と、前記コンテンツを掲載したサービスページから再生情報を受信するように構成された情報受信部と、前記再生情報を受信する場合、前記コンテンツ情報の再生回数を更新するように構成された再生回数更新部とを備え、前記コンテンツとコピーされた同一コンテンツは、異なる識別子を用いて分類される。
【図面の簡単な説明】
【００２２】
【図１】図１は、従来技術に係るバイラル広告マーケティングの一例を説明するための図である。
【図２】図２は、本発明の一実施形態に係るＤＲＭシステムを示す図である。
【図３】図３は、本発明の一実施形態に係るＤＲＭ方法を示すフローチャートである。
【図４】図４は、本発明の一実施形態に係るコンテンツ情報の一例を示すテーブルである。
【図５】図５は、本発明の一実施形態に係るコンテンツ情報を用いて広告コンテンツの広告費を算出する方法を示すフローチャートである。
【図６】図６は、本発明の一実施形態に係る算出された広告費をサービスページ毎に分配する方法の一例を示す図である。
【図７】図７は、本発明の他の実施形態に係るＤＲＭシステムの内部構成を説明するためのブロック図である。
【発明を実施するための形態】
【００２３】
以下、添付の図面を参照しながら、本発明の一実施形態について詳しく説明する。なお、同様の参照数字は、以下の実施形態において同様の構成要素を示す。まず、本明細書において用いられる「コピー（クローン：ｃｌｏｎｅ／ｃｌｏｎｅｄ／ｃｌｏｎｉｎｇ）」は、本来の著作物を複製するすべての行為を示し、動画などのコンテンツをオリジナルのサービスページから他のサービスページにコピーする行為等を含む。
【００２４】
図２は、本発明の一実施形態に係るＤＲＭシステムを示す図である。
【００２５】
ＤＲＭシステム２００は、コンテンツ２０１をサービスページ２０２に掲載するとき、コンテンツ２０１に対応する識別子２０３を割り当てる。このようなコンテンツ２０１が再生される場合、サービスページ２０２は、再生情報をＤＲＭシステム２００に送信する。
【００２６】
コンテンツ２０１が他のサービスページ２０４にコピーされる場合、サービスページ２０２は、コピー情報をＤＲＭシステム２００に送信する。この場合、ＤＲＭシステム２００は、コピーされたコンテンツ２０５の新たな識別子２０６を生成し、生成した新たな識別子２０６をサービスページ２０２に送信する。サービスページ２０２は、コンテンツ２０１のコピーされたコンテンツ２０５に関する新たな識別子２０６を含めて、他のサービスページ２０４へのコピーを可能にしてもよい。
【００２７】
このようなコンテンツ２０１、２０５は、ストリーミングサービスを用いて提供されるデータコンテンツとしてもよく、識別子２０３、２０６は、データコンテンツに含まれるようにしてもよい。
【００２８】
コンテンツ２０１は、図２に示すように、他のサービスページ２０７にもコピーされてもよい。また、上述のように、他のサービスページ２０４のコピーされたコンテンツ２０５は、他のサービスページ２０８にコピーされてもよい。上述したように、ＤＲＭシステム２００は、サービスページ２０７、２０８のコンテンツ２０９、２１０に対しても新たな識別子２１１、２１２を個別に生成してもよい。ＤＲＭシステム２００は、サービスページ２０７、２０８に対して生成した新たな識別子２１１、２１２をそれぞれ送信してもよい。
【００２９】
サービスページ２０４、２０７、２０８では、サービスページ２０２と同じようにコピーされたコンテンツ２０５、２０９、２１０がそれぞれ再生された場合、コピーされたコンテンツ２０５、２０９、２１０に対応する識別子２０６、２１１、２１２を含む再生情報をＤＲＭシステム２００に送信してもよい。
【００３０】
具体的には、ＤＲＭシステム２００は、コンテンツ２０１がどのように用いられているかをコンテンツ情報に基づいて確認できるようになる。また、ＤＲＭシステム２００は、コンテンツ情報を用いてストリーミングサービスを基盤として提供される広告コンテンツに対する広告費を算出することができる。ＤＲＭシステム２００は、異なるサービスページ毎の再生情報に基づいてコンテンツを掲載するサービスページ毎に広告費を分配することができる。また、ＤＲＭシステム２００は、サービスページのＵＲＬを用いて特定サイト毎に広告費を分配することができる。
【００３１】
以下、コンテンツに対するＤＲＭ方法については、図３〜６を参照しながらより詳しく説明する。
【００３２】
図３は、本発明の一実施形態に係るＤＲＭ方法を示すフローチャートである。
【００３３】
ステップＳ３０１において、コンテンツに対する費用を算出するＤＲＭシステムは、コンテンツに対するコンテンツ情報を生成および保持する。コンテンツとコピーされた同一コンテンツは、異なる識別子を用いて識別されてもよい。異なる識別子は、生成された順序を比べるための順序情報を含むことができる。
【００３４】
また、コンテンツ情報は、コンテンツに関連する異なる識別子毎に再生回数、コピー回数、親識別子、およびサービスページのＵＲＬを含む。ステップ３０１において、ＤＲＭシステムは、コンテンツと関連した異なる識別子毎に再生回数、コピー回数、親識別子、およびサービスページのＵＲＬを記録するためのフィールドを生成および保持する。
【００３５】
また、コンテンツは、ストリーミングサービスを用いて提供されるデータコンテンツとしてもよく、識別子は、データコンテンツのスクリプト（ｓｃｒｉｐｔ）に含めてもよい。
【００３６】
図４は、本発明の一実施形態に係るコンテンツ情報の一例を示すテーブルである。
【００３７】
コンテンツ情報４００は、図４に示すように、サービスページに掲載されたコンテンツを識別するための識別子４０１と、識別子４０１により識別されたコンテンツの再生回数４０２と、コンテンツのコピー回数４０３と、コピーされたコンテンツの親コンテンツを識別子である親識別子４０４と、コンテンツが掲載されたサービスページのＵＲＬ４０５と、を含む。
【００３８】
例えば、識別子「＃４」に対するデータを参照すると、再生回数４０２は「１」、コピー回数４０３は「０」、親識別子は「＃２」であり、ＵＲＬ４０５は「Ｄ．ｃｏｍ」である。
【００３９】
具体的には、再生回数４０２およびＵＲＬ４０５に基づいてコンテンツがどのようなサービスページで何回再生されたかに対する情報を取得することができる。また、親識別子４０４およびＵＲＬ４０５に基づいて任意の識別子を含むコンテンツがどのような経路を介して最初のサービスページから現在のサービスページに移動したかを識別することができる。例えば、識別子４０１「＃４」と関連したコンテンツは、ＵＲＬ「Ａ．ｃｏｍ」に最初に掲載されコピーされてＵＲＬ「Ｂ．ｃｏｍ」に掲載され、「Ｂ．ｃｏｍ」からコピーされて現在のＵＲＬ「Ｄ．ｃｏｍ」に掲載されている。コピー回数４０３は、サービスページを用いるユーザの数を識別するためのデータとして用いてもよい。
【００４０】
コンテンツに対する広告費を算出するために、再生回数４０２は、コンテンツに対する費用を算出するためのデータとして用いてもよい。コピー回数４０３および親識別子４０４は、コンテンツに対して識別子４０１毎に加重値を付与するために用いてもよい。例えば、再生回数４０３が高い順により大きい加重値を付与してもよい。親識別子４０４に基づいて識別することができる配布等級（ｄｉｓｔｒｉｂｕｔｉｏｎ  ｃｌａｓｓ）の低い順により大きい加重値を付与してもよい。
【００４１】
例えば、最初に掲載されたコンテンツの配布等級（ｄｉｓｔｒｉｂｕｔｉｏｎ  ｃｌａｓｓ）を「０」として示し、コンテンツからコピーされたコンテンツに対する配布等級を「１」として示し、コピーされたコンテンツからコピーされた他のコンテンツに対する配布等級を「２」として示すように、親識別子４０４に基づいて識別するようにしてもよい。具体的には、識別子「＃４」のコンテンツに対する親識別子４０４は「＃２」であり、識別子「＃２」のコンテンツに対する親識別子４０４は「＃１」であるため、識別子「＃４」のコンテンツに対する配布等級は「２」である。
【００４２】
また、ＵＲＬ４０５毎に加重値を付与することにより、コンテンツを提供するサービスページ毎、または特定サイト毎に加重値を付与してもよく、このことにより、サイト毎に広告効果または広告費を算出することができる。
【００４３】
ステップＳ３０２において、ＤＲＭシステムは、コンテンツを掲載したサービスページから再生情報を受信したか否かを確認し、再生情報を受信した場合はステップＳ３０３を実行し、再生情報を受信しない場合はステップＳ３０４を実行する。
【００４４】
ステップＳ３０３において、ＤＲＭシステムは、再生情報を受信した場合、コンテンツ情報の再生回数を更新する。具体的には、ＤＲＭシステムは、再生情報を受信した場合、コンテンツの識別子に対応するコンテンツ情報の再生回数を更新する。再生情報の受信は、再生情報を送信したサービスページでコンテンツが再生されたことを示す。ＤＲＭシステムは、再生回数を「１」増加させることによって更新を実行する。
【００４５】
ステップＳ３０４において、ＤＲＭシステムは、サービスページからコピー情報を受信したか否かを確認し、コピー情報を受信した場合はステップＳ３０５を実行し、再生情報を受信しない場合はステップＳ３０９を実行する。
【００４６】
ステップＳ３０５において、ＤＲＭシステムは、コピー情報を受信した場合、コピー情報に含まれた識別子を用いて新たな識別子を生成する。上述したように、コンテンツとコピーされた同一コンテンツは、それぞれ異なる識別子を含むため、コンテンツがコピーされる場合、コピーされたコンテンツのための新たな識別子が必要になる。このため、ＤＲＭシステムは、識別子を用いて新たな識別子を生成する。
【００４７】
新たな識別子を生成するために識別子を用いることは、異なる識別子が生成順序に対する順序情報を含むためである。識別子は、新たな識別子の親識別子としてもよい。例えば、識別子が「＃２」である場合、新たな識別子は、識別子より後に生成されたことを示す順序情報を含む「＃３」となる。また、識別子「＃２」のコンテンツが再度コピーされた場合、２番目にコピーされたコンテンツの識別子は、２番目の新たな識別子を示すために「＃４」となる。その新たな識別子「＃３」および「＃４」の親識別子は、識別子「＃２」である。
【００４８】
ステップＳ３０６において、ＤＲＭシステムは、新たな識別子をサービスページに送信する。サービスページは、コンテンツに対するコピー要求に対する応答において、新たな識別子を含むコピーコンテンツを掲載する。上述したように、識別子は、ストリーミングサービスを用いて提供されるデータコンテンツとしてもよく、新たな識別子は、コピー要求に応じてコピーされるデータコンテンツのスクリプトに含めてもよい。
【００４９】
ステップＳ３０７において、ＤＲＭシステムは、識別子に対応するコンテンツ情報のコピー回数を更新する。このような更新は、コンテンツ情報のコピー回数に対するフィールドの値を修正することによって実行される。例えば、コピー回数を「１」増加させる。
【００５０】
ステップＳ３０８において、ＤＲＭシステムは、新たな識別子に対応する情報をコンテンツ情報に追加する。新たな識別子に対応する情報は、親識別子である識別子と、コンテンツに対するコピー要求を送信した他のサービスページのＵＲＬと、を含めてもよい。
【００５１】
例えば、識別子が「＃２」であり、新たな識別子が「＃４」である場合、ＤＲＭシステムは、コンテンツ情報に新たな識別子「＃４」のためのフィールドを生成し、新たな識別子「＃４」の親識別子を記録するためのフィールドに識別子「＃２」を追加する。また、ＤＲＭシステムは、新たな識別子「＃４」のＵＲＬを記録するためのフィールドにＵＲＬを追加する。上述したように、親識別子およびＵＲＬは、異なる識別子毎に加重値を付与するために用いられる。
【００５２】
ステップＳ３０２およびＳ３０３は、再生情報を受信した場合に実行され、ステップＳ３０４〜Ｓ３０８は、コピー情報を受信した場合に実行される。ステップＳ３０２およびＳ３０３と、ステップＳ３０４〜Ｓ３０８は、最初に受信する情報に応じて繰り逆に実行され、または再生情報およびコピー情報が受信されない場合は実行されないこともある。具体的には、ＤＲＭシステムは、特定コンテンツを掲載し、所定期間内に受信された再生情報およびコピー情報に対してステップＳ３０２およびＳ３０３とステップＳ３０４〜Ｓ３０８をそれぞれ実行する。所定期間が終了した場合、ＤＲＭシステムは、更新されたコンテンツ情報を用いてコンテンツに対する料金を算出する。
【００５３】
ステップＳ３０９において、ＤＲＭシステムは、コンテンツ情報を用いて広告コンテンツに対する広告費を算出する。コンテンツは、広告コンテンツを含む。広告コンテンツに対する広告費を算出する方法については、図５を参照しながらより詳しく説明する。
【００５４】
図５は、本発明の一実施形態において、コンテンツ情報を用いて広告コンテンツに対する広告費を算出する方法を示すフローチャートである。図５に示すように、ステップＳ５１０およびステップＳ５２０は、図３で説明したステップＳ３０９に含まれて実行される。
【００５５】
ステップＳ５１０において、ＤＲＭシステムは、異なる識別子毎にコンテンツ情報の再生回数を確認する。図４のコンテンツ情報の一例を参照すると、識別子「＃１」の再生回数「５」、識別子「＃２」の再生回数「１」、識別子「＃３」の再生回数「１」、および識別子「＃４」の再生回数「１」をそれぞれ確認することができる。
【００５６】
ステップＳ５２０において、ＤＲＭシステムは、再生回数、異なる識別子、および異なる識別子毎の親識別子を用いて広告コンテンツの広告費を算出する。ステップＳ５２０は、ステップＳ５２１〜Ｓ５２３を含む。
【００５７】
ステップＳ５２１において、ＤＲＭシステムは、広告コンテンツの異なる識別子毎に親識別子に応じて決定される配布等級を確認する。上述した例を用いて、識別子「＃１」の配布等級「０」、識別子「＃２」の配布等級「１」、識別子「＃３」の配布等級「１」、および識別子「＃４」の配布等級「２」をそれぞれ確認することができる。
【００５８】
ステップＳ５２２において、ＤＲＭシステムは、配布等級に応じて異なる識別子毎に分類された再生回数に加重値を付与する。具体的には、伝播配布等級に応じて所定の（ｐｒｅｄｅｔｅｒｍｉｎｅｄ）加重値が異なる識別子の再生回数に付与される。加重値は、再生回数に対して乗算を実行することにより付与される。配布等級に応じた加重値を望まない場合、加重値は「１」に設定される。
【００５９】
ステップＳ５２３において、ＤＲＭシステムは、再生回数の合計により広告コンテンツの広告費を算出する。広告費は、合計の結果と再生１回あたりの価格とを乗算することにより算出される。
【００６０】
広告コンテンツの広告費は、それぞれのサービスページで製作された価値に基づいて分配される。広告費を分配する方法については図６を参照しながらより詳しく説明する。
【００６１】
図６は、本発明の一実施形態に係る算出された広告費をサービスページ毎に分配する方法の一例を示す図である。
【００６２】
第１ノード６１０は、配布等級「０」を有する最初のコンテンツと関連した再生回数を示す。セル（ｃｅｌｌ）６１１は最初のコンテンツの再生回数を、セル６１２は最初のコンテンツからコピーされて配布されたすべての同一コンテンツの再生回数を示す。また、セル６１３は、セル６１１の再生回数とセル６１２の再生回数の合計を示す、第１のノード６１０と関連したコンテンツに関する合計再生回数を示す。
【００６３】
第２ノード６２０および第３ノード６３０は、最初のコンテンツを親コンテンツとし、配布等級「１」を有するコピーされたコンテンツと関連した再生回数を示す。その構成は、第１ノード６１０同様である。
【００６４】
図６のノード毎に製作された価値に比例する加重値を付与するため、加重値は、ノード毎に再生回数に対応する第１再生回数と、そのノードからコピーされたノードの再生回数に対応する第２再生回数と、により生成される。広告費は、加重値に基づいて分配される。
【００６５】
例えば、第１ノード６１０は、第１ノード６１０と関連したコンテンツの再生回数「２０」と、第１ノード１６１０からコピーされたたノードの再生回数「１８」と、が反映される。具体的には、第１ノード６１０は、合計再生回数「３８」を反映することにより加重値を生成する。また、第２ノード６２０は、「５」と「３」の合計である「８」を用いて加重値を生成する。第３ノード６３０は、「６」と「４」の合計である「１０」を用いて加重値を生成する。合計再生回数を反映する加重値生成方法を用いる場合、第１ノード６１０は加重値「３８／６３」を有し、第２ノード６２０は加重値「８／６３」を有する。「６３」は、それぞれのノードに対する合計再生回数の合計を示し、「６３＝３８＋８＋１０＋１＋２＋１＋２＋１」のように求められる。
【００６６】
具体的には、広告費は、ノード毎に計算された加重値を広告費に付与することにより、ノード毎に広告費が分配される。
【００６７】
また、ノード毎の再生回数である第１再生回数と、ノードからコピーされたノード毎の再生回数である第２再生回数にそれぞれ異なる加重値が付与される。あるノードに対する第１加重値は、加算演算を用いて生成される。第１加重値に対する全体ノードの第２加重値の比率に基づいて、ノードに対する広告費が計算される。例えば、第１ノード６１０の加重値Ｖ１が「Ｖ１＝２０×Ａ＋１８×Ｂ」のように示され、ノードの合計数がｎであるとき、第１ノード６１０に分配される広告費は次の数式（１）により得られる。
【数１】
2010516009.tif 000003
【００６８】
また、広告費は、ノード毎、すなわち、コンテンツが掲載されたサービスページ毎に計算された広告費、およびサービスページのＵＲＬを用いて特定サイト毎に算出される。
【００６９】
上述のように、本発明に係るＤＲＭシステムを用いれば、ストリーミングサービスを使用して提供されるコンテンツのコピーされたコンテンツ毎に異なる識別子を提供し、異なる識別子毎にコンテンツの再生回数、コピー回数、コンテンツが掲載されるサービスページのＵＲＬなどを保持および更新することにより、コンテンツがどのように用いられたかに対するコンテンツ情報を得ることができる。
【００７０】
また、コンテンツ情報に基づいて異なる識別子毎にコンテンツの再生回数を確認することにより、コンテンツに対する広告費を算出することができる。また、再生回数および異なる識別子を用いて広告費をサービスページ毎に分配し、ＵＲＬを用いて特定サイト毎にコンテンツに関連する広告効果および広告費を算出することができる。
【００７１】
図７は、本発明の他の実施形態に係るＤＲＭシステムの内部構成を説明するためのブロック図である。図７に示すように、ＤＲＭシステム７００は、コンテンツ情報管理部７０１と、情報受信部７０２と、再生情報更新部７０３と、識別子生成部７０４と、識別子送信部７０５と、コピー回数更新部７０６と、情報追加部７０７と、広告費算出部７０８とを含む。
【００７２】
ＤＲＭシステム７００は、情報受信部７０２を用いて複数のサービスページ７１０からコンテンツに関する再生情報とコピー情報を受信し、識別子送信部７０５を介して複数のサービスページ７１０に新たな識別子を送信する。
【００７３】
コンテンツ情報管理部７０１は、コンテンツに関するコンテンツ情報を生成および保持する。コンテンツとコピーされた同一コンテンツは、異なる識別子を用いて分類される。コンテンツ情報は、コンテンツに関連する異なる識別子毎に再生回数、コピー回数、親識別子、およびサービスページ７１０のＵＲＬが含まれる。コンテンツ情報管理部７０１は、コンテンツと関連した異なる識別子毎に再生回数、コピー回数、親識別子、およびサービスページ７１０毎のＵＲＬを記録するためのフィールドを生成および保持する。
【００７４】
情報受信部７０２は、コンテンツを掲載した複数のサービスページ７１０から再生情報を受信する。情報受信部７０２は、複数のサービスページ７１０からコピー情報をさらに受信する。具体的には、複数のサービスページ７１０は、コンテンツが再生またはコピーされるたびに再生情報またはコピー情報をＤＲＭシステム７００に送信する。ＤＲＭシステム７００は、情報受信部７０２を介して再生情報またはコピー情報を受信する。
【００７５】
再生情報更新部７０３は、再生情報を受信した場合、コンテンツ情報の再生回数を更新する。具体的には、再生情報更新部７０３は、コンテンツの識別子に対応するコンテンツ情報の再生回数を更新する。識別子は、情報受信部７０２により受信された再生情報に含まれる。再生情報の受信は、再生情報を送信したサービスページでコンテンツが再生されたことを示す。ＤＲＭシステムは、再生回数を「１」増加させることによって更新を実行する。
【００７６】
識別子生成部７０４は、コピー情報を受信した場合、コピー情報に含まれた識別子を用いて新たな識別子を生成する。上述したように、コンテンツとコピーされた同一コンテンツは、それぞれ異なる識別子に含まれるため、コンテンツがコピーされた場合、コピーされたコンテンツのための新たな識別子が必要になる。このために、ＤＲＭシステムは、識別子を用いて新たな識別子を生成する。
【００７７】
新たな識別子の生成に識別子を用いることは、異なる識別子が生成順序に対する順序情報を含むためであり、識別子は新たな識別子の親識別子となる。
【００７８】
識別子送信部７０５は、新たな識別子をコピー情報を受信したサービスページに送信する。サービスページを含む複数のサービスページ７１０は、コンテンツに対するコピー要求に応答して、新たな識別子を含むコンテンツを掲載する。上述したように、識別子は、ストリーミングサービスを用いて提供されるデータコンテンツとしてもよく、新たな識別子は、コピー要求に応じてコピーされたデータコンテンツのスクリプトに含まれてもよい。
【００７９】
コピー回数更新部７０６は、識別子に対応するコンテンツ情報のコピー回数を更新する。このような更新は、コンテンツ情報のコピー回数に対するフィールドの値を修正することによって実行される。例えば、コピー回数更新部７０６は、コピー回数を「１」だけ増加させる。
【００８０】
情報追加部７０７は、新たな識別子に対応する情報をコンテンツ情報に追加する。新たな識別子に対応する情報は、親識別子である識別子およびコンテンツに対するコピー要求を送信した他のサービスページのＵＲＬが含まれる。
【００８１】
広告費算出部７０８は、コンテンツ情報を用いてコンテンツに対する広告費を算出する。コンテンツは広告コンテンツに含まれる。広告費算出部７０８は、再生回数確認部（図示せず）と、第２広告費算出部（図示せず）を含めてもよい。再生回数確認部は、異なる識別子毎にコンテンツ情報の再生回数を確認する。第２広告費算出部は、再生回数、異なる識別子、及び異なる識別子毎の親識別子を用いて広告コンテンツの広告費を算出する。
【００８２】
広告費算出部７０８は、広告コンテンツの異なる識別子毎に親識別子に基づいて決定される配布等級を確認し、配布等級に応じて異なる識別子毎に分類された再生回数に加重値を付与し、再生回数の合計を加算することにより、広告コンテンツの広告費を算出する。
【００８３】
広告費は、図６を参照しながら説明したように、サービスページ７１０毎に分配される。また、ＵＲＬを用いて複数のサービスページ７１０に関連した特定サイト毎に広告費を算出してもよい。
【００８４】
本発明に係るＤＲＭシステムを用いれば、ストリーミングサービスを用いて提供されるコンテンツのコピーされたコンテンツ毎に異なる識別子を提供し、異なる識別子毎にコンテンツの再生回数、コピー回数、コンテンツが掲載されるサービスページのＵＲＬなどを保持および更新することにより、コンテンツがどのように用いられたかに対するコンテンツ情報を得ることができる。
【００８５】
また、コンテンツ情報に基づいて異なる識別子毎にコンテンツの再生回数を確認することにより、コンテンツに対する広告費を算出することができ、再生回数および異なる識別子を用いて広告費をサービスページ毎に分配し、ＵＲＬを用いて特定サイト毎にコンテンツに関連する広告効果および広告費を算出することができる。
【００８６】
本発明に係る一実施形態は、コンピュータにより実現される多様な動作を実行するためのプログラム命令を含むコンピュータ読取可能な記録媒体を含む。当該記録媒体は、プログラム命令、データファイル、データ構造、テーブルなどを単独または組み合わせて含ませてもよい。記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭディスクのような光記録媒体、フロプティカルディスクのような磁気−光記録媒体、およびＲＯＭ、ＲＡＭのようなプログラム命令を保存して実行するように特別に構成されたハードウェア装置が含まれる。プログラム命令の例としては、コンパイラによって生成されるような機械語コード、インタプリタを用いてコンピュータによって実行される高級言語コードの双方を含む。
【００８７】
本発明によれば、ストリーミングサービスを用いて提供されるコンテンツのコピーされたコンテンツ毎に異なる識別子を提供し、異なる識別子毎にコンテンツの再生回数、コピー回数、コンテンツが掲載されるサービスページのＵＲＬなどを保持および更新することにより、コンテンツがどのように用いられたかに対するコンテンツ情報を得ることができる。
【００８８】
また、本発明によれば、コンテンツ情報を用いて異なる識別子毎にコンテンツの再生回数を確認することにより、コンテンツに対する広告費を算出することができる方法及びシステムが提供される。
【００８９】
また、本発明によれば、再生回数および異なる識別子を用いて広告費をサービスページ毎に分配し、ＵＲＬを用いて特定サイト毎にコンテンツに関連する広告効果および広告費を算出することができる。
【００９０】
上述したように、本発明は構成要素、一実施形態および図面に基づいて説明されたが、これらは本発明の全般的な理解を助けるために用いたに過ぎず、本発明は上述した実施形態に限定されるものではない。本発明が属する分野において通常の知識を有する者であれば、このような記載から多様な変更および変形が可能である。例えば、本発明の理解を容易にするために、１つの同一コンテンツをコピーすることとし、コンテンツを識別するための識別子を「＃１」、「＃２」のように簡単に表現しただけであり、互いに異なるコンテンツを識別するために、識別子はさらに複雑にしてもよい。また、コンテンツの費用を計算する場合は、再生回数の代わりに、コピー回数に基づいて計算してもよい。また、費用は、最初のコンテンツの再生回数にのみより多くの加重値を割り当てて計算するようにしてもよい。等価的変形が可能である。
【００９１】
したがって、本発明のいくつかの実施形態は、図示されて説明された実施形態に限定されるものではない。本発明の原則と主旨、特許請求の範囲とそれらの同等物により定義される範囲から逸脱せずに、これら実施形態を変更させることは当業者に十分に理解されるであろう。
【図１】
2010516009.tif 000004
【図２】
2010516009.tif 000005
【図３】
2010516009.tif 000006
【図４】
2010516009.tif 000007
【図５】
2010516009.tif 000008
【図６】
2010516009.tif 000009
【図７】
2010516009.tif 000010
【国際調査報告】
2010516009.tif 000011
2010516009.tif 000012